(57)【要約】【課題】  封筒型袋体の配送中などに発生するピーリング部の破損を防止すると共に配送先における袋体開封のためのピーリング部の剥ぎ取り操作を便利にする配送用封筒型袋体を提供することを課題とする。【解決手段】  プラスチックシート等により製造された袋体であって、配送物を収納する収納部と、そして収納部を封止する封止部と並行ミシン目の中間に位置するピーリング部とにより形成されたフラップ部とを備え、フラップ部が折曲部に沿って折り返されて封止部により収納部に接着固定されるように構成された配送用の封筒型袋体において、並行ミシン目及びピーリング部はフラップ部の両端に亘って形成され、フラップ部の両端部においてピーリング部に接して又は近接して形成される各種切り欠き部及び／又はフラップ部の両端部においてピーリング部の近傍であって折曲部側に形成される各種切り抜き部を設けた配送用封筒型袋体である。【選択図】  図１
2013175621.tif 000002
【特許請求の範囲】
【請求項１】
プラスチックシート、パルプ系シート又はプラスチック、パルプ、金属から選ばれた２以上を配合した複合シートのいずれかにより製造された袋体であって、開放部を形成し配送物を収納する収納部と、そして前記収納部を封止する封止部と、並行ミシン目と、該ミシン目の中間に位置するピーリング部と、により形成されたフラップ部と、を備え、収納部と連続形成されるフラップ部が折曲部に沿って折り返されて封止部により収納部に接着固定されるように構成された配送用の封筒型袋体において、
前記並行ミシン目及びピーリング部は前記フラップ部の両端に亘って形成され、該フラップ部の両端部において該ピーリング部に接して又は近接して形成される切り欠き部及び／又は該フラップ部の両端部においてピーリング部の近傍であって前記折曲部側に形成される切り抜き部を設けた、ことを特徴とする配送用封筒型袋体。
【請求項２】
前記併行ミシン目が、一方側のミシン目の穴開き線が他方側のミシン目の隣接する両穴開き線の中間に位置するように互い違いに構成された、ことを特徴とする請求項１に記載の配送用封筒型袋体。
【請求項３】
前記フラップ部の両端部側において、フラップ部の両端側の一辺が開放され他の一辺がピーリング部に接して形成される略四角形状の切り欠き部と、そして該ピーリング部の近傍であって前記折曲部側に形成され、両端部を小円形状にした略細長長方形状の切り抜き部と、を設けたことを特徴とする請求項１又は２のいずれかに記載の配送用封筒型袋体。
【請求項４】
前記フラップ部の両端部側において、フラップ部の両端側の一辺が開放され他の一辺がピーリング部に接して形成される略四角形状の切り欠き部と、そして該ピーリング部の近傍であって前記折曲部側に形成され、両端を半円形状にした略長方形状の切り抜き部と、を設けたことを特徴とする請求項１又は２のいずれかに記載の配送用封筒型袋体。
【請求項５】
前記略四角形状の切り欠き部のフラップ部の両端側の２つの角部並びに折曲部側の角部が、曲線状に形成されていることを特徴とする請求項３又は４のいずれかに記載の配送用封筒型袋体。
【請求項６】
前記フラップ部の両端部側において、フラップ部の両端側の一辺が開放された細長長方形に、その対向辺側に円形を連結させた形状の切り欠き部を、ピーリング部に近接してピーリング部の両側に設けた、ことを特徴とする請求項１又は２のいずれかに記載の配送用封筒型袋体。
【請求項７】
前記フラップ部の両端部側において、フラップ部の両端側の一辺が開放された半円形状の切り欠き部を、ピーリング部に近接してピーリング部の両側に設けた、ことを特徴とする請求項１又は２のいずれかに記載の配送用封筒型袋体。
【発明の詳細な説明】
【技術分野】
【０００１】
本発明は配送用封筒型袋体に関し、特に配送過程におけるピーリング部の破損事故を防止すると共に、受取人が袋体を開封する際にピーリング部の剥ぎ取り操作を容易にすることを可能にする配送用封筒型袋体に関する。なお、本発明において、「ピーリング部」とは、所定の間隔で並行する複数のミシン目の間に位置する帯状体であって袋体を開封する際に剥ぎ取る部位をいい、「フラップ部」とは、配送物を収納する収納部（袋部）に連続しており、封止部、並行ミシン目、ピーリング部が形成される部位をいう。
【背景技術】
【０００２】
物品を収納包装して配送するためのプラスチックシート製などの配送用封筒型袋体（以下、単に「袋体」ともいう。）は従来から広く知られている。周知技術に係る袋体の製法並びに配送に使用される構成等について図７、８を参照して説明する。袋体は配送物を収納する収納部２とフラップ部１とから構成され、展開図（図７Ａ）に示すように、１枚のブランクシートから切り出された長方形状のシートを、シートＳ２をシートＳ１側に折曲部Ｂ２に沿って折り返して袋部の底辺を形成し、両シートが重なり合う先端部２１を開放し、両横辺部ＷＬ１、ＷＬ２同士を融着して袋部を形成する。【０００３】
シートＳ１に連続するフラップ部１には、収納部を封止する封止部１１、並行ミシン目１２ａ、１２ｂ、該ミシン目の中間に位置するピーリング部１３が形成されている。なお、封止部には封止用の粘着材が塗布され、その上に剥離紙が被覆されている。次に、配送物の収納から開封に至る過程を説明する。図８（Ａ、Ｂ）に示すように、開口された開放部２１から収納部内に配送物Ｇが収納された後、フラップ部が折曲部Ｂ１に沿って折り返され（図７Ｂ）、封止部によって収納部と接着固定され（図７Ｃ、図８）、受取人あてに搬送・配達され、当該袋体を受け取った受取人はピーリング部をミシン目に沿って剥がし取って配送物を受領することになる。【０００４】
上述した周知技術に係る袋体においては、配送物を収納した袋体が搬送・配達されるまでの過程における搬送途上のハンドリングや荷くずれ時の小衝撃によって、収納される配送物の慣性力がピーリング部を介してフラップ部の折返部と封止部との間に引張り力を発生させる。その結果、特に海外搬送等の遠距離配送においては、配送物を配達する前に、フラップ部におけるピーリング部の両端部付近にミシン目の破断による剥れなどの破損（ピーリング破損）が生じ、配送物の汚れ、水濡れ、飛び出し（放出）等の事故がしばしば発生している。また、このような事故がなく無事に配送先に届けられた袋体を、受取人が開封するに際して、ピーリング部端部がフラップ部との面を同一にしており、かつピーリング部端部が狭小のために、ピーリング部端部を指先で摘みあげて剥ぎ取る操作（ピーリング操作）に不便を余儀なくされている。【０００５】
また、フィルムを用いた包装袋を開封し易く、または破断し難くすることを目的とする先行技術文献として特許文献１〜３が存在する。特許文献１にはミシン目５に適宜位置で迂回部６を設けて開口部を開け易くした食品用包装袋が開示され、特許文献２には一対のミシン目１６の連続する各切れ込み１９が引裂部１５の引裂き方向Ｘに向かって外側に拡がる拡幅部２０を有する包装体が開示され、特許文献３には破断用のミシン目列９、９を略山形状に形成することによって包装袋を開封し易くかつ破断しにくいものとした包装袋が開示されている。
【先行技術文献】
【特許文献】
【０００６】
【特許文献１】特開２００５−１３８８９９号公報
【０００７】
【特許文献２】特開２００１−２４７１６１号公報
【０００８】
【特許文献３】特開２００９−３５３２３号公報
【０００９】
フラップ部の両端部において切り欠き部、切り抜き部が形成された袋体は提案されていない。そこで、フラップ部に簡易な加工処理を施すことにより、配送中のピーリング部の破損を防止すると共に開封時の剥ぎ取り操作を容易にすることが可能な袋体が望まれている。
【発明の概要】
【発明が解決しようとする課題】
【００１０】
本発明は、配送用封筒型袋体の配送中などに発生するピーリング部の破損を防止すると共に、配送先における袋体の開封のためのピーリング部の剥ぎ取り操作を便利にすることができる配送用封筒型袋体を提供することを課題とする。
【課題を解決するための手段】
【００１１】
請求項１に記載の発明は、プラスチックシート、パルプ系シート又はプラスチック、パルプ、金属から選ばれた２以上を配合した複合シートのいずれかにより製造された袋体であって、開放部２１を形成し配送物を収納する収納部２と、そして前記収納部を封止する封止部１１と、並行ミシン目１２ａ、１２ｂと、該ミシン目の中間に位置するピーリング部１３と、により形成されたフラップ部１と、を備え、収納部と連続形成されるフラップ部が折曲部Ｂ１に沿って折り返されて封止部により収納部に接着固定されるように構成された配送用の封筒型袋体において、前記並行ミシン目及びピーリング部は前記フラップ部の両端Ｅ１、Ｅ２に亘って形成され、該フラップ部の両端部において該ピーリング部に接して又は近接して形成される切り欠き部１４、１５、１６及び／又は該フラップ部の両端部においてピーリング部の近傍であって前記折曲部側に形成される切り抜き部１７、１８を設けた配送用封筒型袋体であることを特徴とする。【００１２】
請求項２に記載の発明は、図５に示すように、請求項１に記載の配送用封筒型袋体における前記併行ミシン目が、一方側のミシン目の穴開き線Ｌ１が他方側のミシン目の隣接する両穴開き線Ｌ２、Ｌ３の中間に位置するように互い違いに構成された配送用封筒型袋体であることを特徴とする。【００１３】
請求項３に記載の発明は、図１に示すように、請求項１又は２のいずれかに記載の配送用封筒型袋体における前記フラップ部１の両端部側において、フラップ部の両端Ｅ１、Ｅ２側の一辺が開放され他の一辺がピーリング部１３に接して形成される略四角形状の切り欠き部１４と、そして該ピーリング部の近傍であって前記折曲部Ｂ１側に形成され、両端部を小円形状にした略細長長方形状の切り抜き部１７と、を設けた配送用封筒型袋体であることを特徴とする。なお、上記切り欠き部１４、切り抜き部１７の双方又は一方は、フラップ部の端部のいずれか一方側のみに設けるように構成することができ、また上記切り欠き部１４はピーリング部１３の両側に設けるように構成することができる。【００１４】
請求項４に記載の発明は、図２に示すように、請求項１又は２のいずれかに記載の配送用封筒型袋体における前記フラップ部１の両端部側において、フラップ部の両端Ｅ１、Ｅ２側の一辺が開放され他の一辺がピーリング部１３に接して形成される略四角形状の切り欠き部１４と、そして該ピーリング部の近傍であって前記折曲部Ｂ１側に形成され、両端を半円形状にした略長方形状の切り抜き部１８と、を設けた配送用封筒型袋体であることを特徴とする。【００１５】
請求項５に記載の発明は、図１、２に示すように、請求項３又は４のいずれかに記載の配送用封筒型袋体において、前記略四角形状の切り欠き部１４のフラップ部の両端Ｅ１、Ｅ２側の２つの角部Ｃ１、Ｃ２並びに折曲部Ｂ１側の角部Ｃ３が、曲線状に形成されている配送用封筒型袋体であることを特徴とする。【００１６】
請求項６に記載の発明は、図３に示すように、請求項１又は２のいずれかに記載の配送用封筒型袋体における前記フラップ部１の両端部側において、フラップ部の両端Ｅ１、Ｅ２側の一辺が開放された細長長方形に、その対向辺側に円形を連結させた形状の切り欠き部１５を、ピーリング部１３に近接してピーリング部の両側に設けた配送用封筒型袋体であることを特徴とする。【００１７】
請求項７に記載の発明は、図４に示すように、請求項１又は２のいずれかに記載の配送用封筒型袋体における前記フラップ部１の両端部側において、フラップ部の両端Ｅ１、Ｅ２側の一辺が開放された半円形状の切り欠き部１６を、ピーリング部１３に近接してピーリング部の両側に設けた配送用封筒型袋体であることを特徴とする。なお、上記請求項６、７に記載の発明に係る切り欠き部１５、１６は、フラップ部の端部のいずれか一方側のみに設けるように構成することができ、また当該切り欠き部の近傍であって前記折曲部Ｂ１側に切り抜き部１７又は１８のいずれかを設けるように構成することができる。
【発明の効果】
【００１８】
本発明においては、並行ミシン目及びピーリング部はフラップ部の両端までに亘って形成され、フラップ部の両端部のピーリング部に接して又は周辺に各種形状の切り欠き部、切り抜き部並びに切り欠き部と切り抜き部が適宜組合わされた部分が設けられている。配送物を収納した袋体が搬送・配達途上のハンドリングや荷くずれによってフラップ部の折り返し部と封止部間において収納物の慣性力による急激な引張力が発生したとしても、当該引張力は各種形状の切り欠き部、切り抜き部により分散されてピーリング部の両端部への集中が回避される。各種形状の切り欠き部、切り抜き部の働きによってピーリング部の両端部に対する引張力の直接作用が遮断され、搬送途中でのフラップ部の破損事故を確実に回避することが可能となる。なお、切り欠き部の３つの角部を曲線状（Ｒ線）に形成することにより、引張力が作用した場合に当該Ｒ線を付けた角部がめくり上げられ易くなり引張力を吸収するためにピーリング端部の破損を防止できる。【００１９】
本発明においては、併行する一方側のミシン目の穴開き線が他方側のミシン目の隣接する両穴開き線の中間に位置するように互い違いに形成されている。そのためにミシン目が破断され難くなりフラップ部の破損事故をさらに確実に回避することが可能となる。【００２０】
また本発明においては、フラップ部の両端部側又は一方側に、フラップ部の両端側が開放された各種形状の切り欠き部をピーリング部の一方側または両側に設けている。これにより剥ぎ取り部分の一部がシート面から露出するために、配送先における開封時の剥ぎ取り操作のための指かけ動作が容易となり、袋体開封の利便性が大きく向上する。また、本発明に係る袋体は少ない資材と簡易な加工処理により製造することができる。
【図面の簡単な説明】
【００２１】
【図１】本発明に係る配送用封筒型袋体の第１の実施例の構成例を示す部分拡大平面図である。
【図２】本発明に係る配送用封筒型袋体の第２の実施例の構成例を示す部分拡大平面図である。
【図３】本発明に係る配送用封筒型袋体の第３の実施例の構成例を示す部分拡大平面図である。
【図４】本発明に係る配送用封筒型袋体の第４の実施例の構成例を示す部分拡大平面図である。
【図５】本発明に係る配送用封筒型袋体のミシン目の構成例を示す部分拡大平面図である。
【図６】本発明に係る配送用封筒型袋体の作用、効果を説明するための図である。
【図７】周知技術に係る配送用封筒型袋体を説明するための図であり、（Ａ）は展開図、（Ｂ）はフラップ部が折り返される状態を示す斜視図、（Ｃ）はフラップ部が封止部により接着固定された状態を示す斜視図である。
【図８】周知技術に係る配送用封筒型袋体を説明するための図であり、（Ａ）は図７（Ｃ）の部分拡大図、（Ｂ）は図（Ａ）におけるＸ−Ｘ断面拡大図である。
【発明を実施するための形態】
【００２２】
以下、添付図を参照しつつ本発明に係る配送用封筒型袋体の実施の形態について詳細に説明する。本発明に係る配送用封筒型袋体（以下、単に「袋体」ともいう。）は、図１〜図５に示すように、プラスチックシート、パルプ系シート、金属シートまたはそれらの複合シートのいずれかにより製造された袋体であって、収納部（袋部）２とフラップ部１とにより構成される。収納部２は、配送物を収納する袋部であり、１枚または複数枚のシートを重ね合わせたブランクシートから切り出されたシートの両横辺部ＷＬ１、ＷＬ２同士が融着され、袋部の底辺となる部分はシートＢ１とＢ２とが折曲部Ｂ２に沿って折り曲げられ、両シートが重なり合う先端部が開放されて開放部２１が形成される。なお、図１〜図５においては袋体の縦横の一部を省略して波線で表している。
【００２３】
フラップ部１はシートＳ１と連続しており、フラップ部１は、収納部の一部に接着固定するための封止部１１、並行ミシン目１２ａ、１２ｂ、該ミシン目の中間に位置するピーリング部１３により構成されている（図８参照）。なお、封止部には封止用の粘着剤が塗布され、その上に剥離紙が被覆されている。なお、本発明係る袋体の材料としては、プラスチックシート、パルプ系シート、金属シート等やそれら各種材料の複合シートなどが最適であり、これらのシートを１枚とする単層または２枚以上を重ねた複層にして袋体の材料とすることができる。配送物品の性状、重量等によっては透光性、機密性、保管性などを考慮する必要があるからである。また、袋体の材料はミシン目などによる引裂が可能なものであればすべて本発明において適用できる。
【００２４】
このような構成の袋部に開放部２１から配送物品が収納された後、フラップ部１が、シート先端部の開放部２１より後方に位置する折曲部Ｂ１に沿って折り返され、封止部１１により収納部２のシートＳ２に接着固定されて配送用の封筒型袋体を形成する。なお、上述した本発明に係る構成、折り返し、融着、接着固定等の袋体の製造工程については図７、８を参照して説明した周知技術と実質的に同一であるので、ここでは本発明の特徴部分の構成等について説明する。
【００２５】
本発明の第１の実施例に係る袋体は、図１に示すように、フラップ部１の両端部側（図では上端側と下端側）に、切り欠き部１４が、フラップ部の両端Ｅ１、Ｅ２側の一辺を一定幅に亘って開放し、他の一辺が一定幅に亘ってピーリング部１３に接して略四角形状に形成されている。本実施例では、切り欠き部のフラップ部両端側の２つのコーナー部Ｃ１、Ｃ２並びに内側辺の折曲部Ｂ１側のコーナー部Ｃ３がＲ線を付けて曲線状に形成されている。このように切り欠き部の３つの角部Ｃ１、Ｃ２、Ｃ３を曲線状に形成することによって、曲線状の角部が、作用する引張力を吸収し易くなる。そして、フラップ部１の両端部側の２個の切り抜き部１７が、ピーリング部１３の近傍であって折曲部Ｂ１側に形成されており、当該切り抜き部は両端部に小円形を形成して略細長長方形状に形成されている。
【００２６】
本発明の第２の実施例に係る袋体は、図２に示すように、前記第１の実施例と同様にフラップ部１の両端部側に２個の切り欠き部１４を設けると共に、両端を半円形状にした略長方形状の切り抜き部１８がピーリング部１３の近傍であって折曲部Ｂ１側に形成されている。なお、図２においては図１と同一部位の参照符号は省略している。
【００２７】
なお、図１、２では切り欠き部１４、切り抜き部１７、１８の双方をフラップ部の両端部にそれぞれ２個形成する構成としているが、本発明においては、切り欠き部、切り抜き部の双方をフラップ部の端部のいずれか一方側にのみ形成することができ、また、切り欠き部のみをフラップ部の両端部に又は一方の端部に形成することができ、さらに、切り欠き部はピーリング部１３の両側に設けるように構成することもできる。
【００２８】
本発明の第３の実施例に係る袋体は、図３に示すように、フラップ部１の両端部側において、ピーリング部１３に近接してピーリング部両側にそれぞれ２個切り欠き部１５が形成されている。切り欠き部１５は、フラップ部の両端Ｅ１、Ｅ２側の辺を開放した細長長方形に、その対向辺側に円形を連結させた形状を形成している。なお、図３においては図１と同一部位の参照符号は省略している。
【００２９】
本発明の第４の実施例に係る袋体は、図４に示すように、フラップ部１の両端部側において、ピーリング部１３に近接してピーリング部両側にそれぞれ２個の切り欠き部１６が形成されている。切り欠き部１６はフラップ部の両端Ｅ１、Ｅ２側の辺が開放された半円形状を形成している。なお、図４においては図１と同一部位の参照符号は省略している。
【００３０】
なお、図３、４では切り欠き部１５、１６をフラップ部の両端部においてピーリング部両側にそれぞれ２個ずつ形成する構成としているが、本発明においては、ピーリング部両側の切り欠き部の双方又は片側の切り欠き部のみをフラップ部の端部のいずれか一方側にのみ形成することができ、また実施例１，２に係る切り抜き部１７又は１８のいずれかを、切り欠き部の近傍であって折曲部Ｂ１側に形成するように構成することもできる。
【００３１】
また、本発明の第１〜４の実施例に係る袋体における併行ミシン目の構成は、図５に示すように、一方側のミシン目の穴開き線Ｌ１が他方側のミシン目の隣接する両穴開き線Ｌ２、Ｌ３の中間に位置するように互い違いに形成されている。ミシン目の穴開き線を互い違いに形成することによりミシン目が破断しにくくなり、ピーリング部の破損の発生をより確実に防止することができる。
【００３２】
次に、図６を参照して本発明に係る袋体の切り欠き部及び切り抜き部が引張力に対して如何に作用し、如何なる効果を及ぼすかについて説明する。図６においては袋体の横の一部を省略して波線で表している。図６は図１に示した第１の実施例に係る袋体の構成を示すもので、配送物が袋体に収納され、フラップ部１が折曲部Ｂ１に沿って折り返され、封止部１１により収納部２の一部に接着固定された状態を示している。図中の矢印ａ、ｂ、ｃは、配送中のトラブルとされる収納部に収納された配送物の慣性力や重力によって発生する引張力の代表的な３種類の作用方向を示している。なお、図では矢印ａ、ｂ、ｃは図の下方端部側にのみ向けている場合を示しているが、図の上方端部側に対しても引張力が作用する場合もある。
【００３３】
フラップの折曲部（折返し部）Ｂ１と封止部１１の間に発生する３種類の引張力ａ、ｂ、ｃが、最初にダメージを受け易い部位となるフラップ部のピーリング端部Ｘに対して如何なる作用を与えるかについて発明者が実験を試みた結果、引張力ｂ、ｃは切り抜き部１７と切り欠き部１４に遮断されてピーリング端部Ｘに対して作用しない。したがってピーリング部の破損の発生を阻止することができる。一方、引張力ａは切り抜き部１７と切り欠き部１４によっては充分に遮断されない場合があり、ピーリング端部Ｘに対してダメージを与える可能性がある。フラップの折曲部上の引張力の作用点と引張力の大きさは、袋体に収納される物品の重量や形態によって決定されることになるので、収納物の重量や形態等を考慮した上で、切り抜き部と切り欠き部の寸法、形状、形成場所等を適宜決定することが必要となる。
【００３４】
また、封止部１１を封止のり代に対して剥離紙付きの両面テープを接着用材として使用し、フラップ部の折り返しと封止部の接着固定を実施したところ、剥離紙を引き離す際に、封止部１１とピーリング部１３の中間部Ｙにおいて引張力が発生した。当該中間部Ｙに発生する引張力によってピーリング端部Ｘにおける引裂き破損は発生しなかった。これは本発明に係る切り欠き部の働きによるものと考えられる。このように本発明に係る切り欠き部は、配送用の封筒型袋体を形成するために封止部により収納部の一部に接着固定する際におけるピーリング端部の引裂き破損を抑制することができる。
【００３５】
切り抜き部の形状は、上記実施例に限られず、切り抜き部の両端側の形状は菱形、台形、星型等とすることができ、帯状の本体部の形状も菱形状、楕円状等各種の形状を採用することができる。切り欠き部の形状は、上記実施例に限られず、三角形、台形、扇形状、菱形状等各種の形状を採用することができる。なお、切り抜き及び切り欠き加工処理において、切り抜き及び切り欠き部を形成する形状の全てがフラップ部のシート材から切り取られる必要はなく、切り抜き及び切り欠き部の形状の一部（一端）がフラップ部を形成するシート材に付着、連結して残存していても差し支えない。これによりシート材から切り離された切り抜き及び切り欠き部を別途廃棄する手間が省け、廃棄作業の簡素化を図ることができる。上記各実施例はごく限られた加工処理例であり、図示されていない各種形状の切り欠き、切り抜き、切り込み等による加工処理部、それら各加工処理部の組合せの形態構成であっても、本発明から容易に着想し得る形態構成は、いずれも本発明の着想範囲内のものであることは勿論である。
【００３６】
図７、８を参照して説明したように周知技術に係る袋体においては、ピーリング部の近傍には切り欠き部、切り抜き部等は何ら設けられておらず、また何らの加工も施されていない。これに対して本発明においては、上述したようにフラップ部の端部において、ピーリング部に接して又は近接して各種形状の切り欠き部、切り抜き部を設けている。収納物の慣性力によって発生する引張力は切り欠き部、切り抜き部により分散されてピーリング部の両端部への集中を回避できる。
【産業上の利用可能性】
【００３７】
本発明に係る配送用封筒型袋体は、フラップ部の両端部においてピーリング部に接して又は近接して切り欠き部が形成され、ピーリング部の近傍の折返し部側に切り抜き部が形成されている。このような切り欠き部及び切り抜き部により、フラップの折返し部と封止部の間に発生する引張力がピーリング端部に対して集中して作用しないためにピーリング部の破損の発生を阻止することができる。本発明に係る配送用封筒型袋体は、比較的比重の大きな書籍、雑誌、カタログなどの宅配用もしくは業務用配送に用いられる袋体として最適であり、その他の物品の配送用としても利用できその利用範囲は広く期待できる。
【符号の説明】
【００３８】
１  フラップ部
１１  封止部
１２ａ、１２ｂ  ミシン目
１３  ピーリング部
１４、１５、１６  切り欠き部
１７、１８  切り抜き部
２  配送物収納部
２１  開放部
ａ、ｂ、ｃ  引張力
Ｂ１  フラップの折曲部（折返し部）
Ｂ２  袋底部の折曲部
Ｅ１、Ｅ２  フラップ部端部
Ｌ１、Ｌ２、Ｌ３  ミシン目の穴開き線
Ｓ１、Ｓ２  シート
ＷＬ１、ＷＬ２  袋部の横辺
Ｘ  ピーリング端部
Ｙ  封止部とピーリング部の中間部
Ｇ  配送物
【図１】
2013175621.tif 000003
【図２】
2013175621.tif 000004
【図３】
2013175621.tif 000005
【図４】
2013175621.tif 000006
【図５】
2013175621.tif 000007
【図６】
2013175621.tif 000008
【図７】
2013175621.tif 000009
【図８】
2013175621.tif 000010
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
プラスチックシート、パルプ系シート又はプラスチック、パルプ、金属から選ばれた２以上を配合した複合シートのいずれかにより製造された袋体であって、開放部を形成し配送物を収納する収納部と、そして前記収納部を封止する封止部と、並行ミシン目と、該ミシン目の中間に位置するピーリング部と、により形成されたフラップ部と、を備え、収納部と連続形成されるフラップ部が折曲部に沿って折り返されて封止部により収納部に接着固定されるように構成された配送用の封筒型袋体において、
前記並行ミシン目及びピーリング部は前記フラップ部の両端に亘って形成され、
該フラップ部の両端部において該ピーリング部に接して又は近接して形成される切り欠き部と、そして該フラップ部の両端部においてピーリング部の近傍であって前記折曲部側に形成される切り抜き部と、を設けたことを特徴とする配送用封筒型袋体。
【請求項２】
前記切り欠き部が、フラップ部の両端側の一辺が開放され、他の一辺がピーリング部に接して形成される略四角形状であることを特徴とする請求項１に記載の配送用封筒型袋体。
【請求項３】
請求項２に記載の切り欠き部におけるフラップ部の両端側の２つの角部並びに折曲部側の角部が、曲線状に形成されていることを特徴とする配送用封筒型袋体。
【請求項４】
前記切り欠き部が、フラップ部の両端側の一辺が開放されて形成された細長長方形状と対向辺側に形成された円形状を連結させた形状であり、ピーリング部に近接してピーリング部の両側に形成された、ことを特徴とする請求項１に記載の配送用封筒型袋体。
【請求項５】
前記切り欠き部が、フラップ部の両端側の一辺が開放された半円形状であり、ピーリング部に近接してピーリング部の両側に形成された、ことを特徴とする請求項１に記載の配送用封筒型袋体。
【請求項６】
前記切り抜き部が、両端部を小円形状にした略細長長方形状または両端を半円形状にした略長方形状であり、前記ピーリング部の近傍であって前記折曲部側に形成された、ことを特徴とする請求項１に記載の配送用封筒型袋体。
【請求項７】
前記並行ミシン目が、一方側のミシン目の穴開き線が他方側のミシン目の隣接する両穴開き線の中間に位置するように互い違いに構成された、ことを特徴とする請求項１〜６のいずれかに記載の配送用封筒型袋体。
【手続補正２】
【補正対象書類名】明細書
【補正対象項目名】００１１
【補正方法】変更
【補正の内容】
【００１１】
請求項１に記載の発明は、プラスチックシート、パルプ系シート又はプラスチック、パルプ、金属から選ばれた２以上を配合した複合シートのいずれかにより製造された袋体であって、開放部２１を形成し配送物を収納する収納部２と、そして前記収納部を封止する封止部１１と、並行ミシン目１２ａ、１２ｂと、該ミシン目の中間に位置するピーリング部１３と、により形成されたフラップ部１と、を備え、収納部と連続形成されるフラップ部が折曲部Ｂ１に沿って折り返されて封止部により収納部に接着固定されるように構成された配送用の封筒型袋体において、前記並行ミシン目及びピーリング部は前記フラップ部の両端Ｅ１、Ｅ２に亘って形成され、該フラップ部の両端部において該ピーリング部に接して又は近接して形成される切り欠き部１４、１５、１６と、そして該フラップ部の両端部においてピーリング部の近傍であって前記折曲部側に形成される切り抜き部１７、１８と、を設けた配送用封筒型袋体であることを特徴とする。
【手続補正３】
【補正対象書類名】明細書
【補正対象項目名】００１２
【補正方法】変更
【補正の内容】
【００１２】
請求項２に記載の発明は、図１、２に示すように、請求項１に記載の切り欠き部１４が、フラップ部の両端Ｅ１、Ｅ２側の一辺が開放され、他の一辺がピーリング部１３に接して形成される略四角形状であることを特徴とする。
【手続補正４】
【補正対象書類名】明細書
【補正対象項目名】００１３
【補正方法】変更
【補正の内容】
【００１３】
請求項３に記載の発明は、図１、２に示すように、請求項２に記載の切り欠き部１４におけるフラップ部の両端Ｅ１、Ｅ２側の２つの角部Ｃ１、Ｃ２並びに折曲部Ｂ１側の角部Ｃ３が曲線状に形成されていることを特徴とする。
【手続補正５】
【補正対象書類名】明細書
【補正対象項目名】００１４
【補正方法】変更
【補正の内容】
【００１４】
請求項４に記載の発明は、図３に示すように、請求項１に記載の切り欠き部１５が、フラップ部の両端側の一辺が開放されて形成された細長長方形状と対向辺側に形成された円形状を連結させた形状であり、ピーリング部に近接してピーリング部の両側に形成されたことを特徴とする。
【手続補正６】
【補正対象書類名】明細書
【補正対象項目名】００１５
【補正方法】変更
【補正の内容】
【００１５】
請求項５に記載の発明は、図４に示すように、請求項１に記載の切り欠き部１６が、フラップ部の両端側の一辺が開放された半円形状であり、ピーリング部に近接してピーリング部の両側に形成されたことを特徴とする。なお、上記請求項４、５に記載の発明に係る切り欠き部１５、１６は、フラップ部の端部のいずれか一方側のみに設けるように構成することができ、また当該切り欠き部の近傍であって前記折曲部Ｂ１側に切り抜き部１７又は１８のいずれかを設けるように構成することができる。
【手続補正７】
【補正対象書類名】明細書
【補正対象項目名】００１６
【補正方法】変更
【補正の内容】
【００１６】
請求項６に記載の発明は、図１、２に示すように、請求項１に記載の切り抜き部１７、１８が、両端部を小円形状にした略細長長方形状または両端を半円形状にした略長方形状であり、前記ピーリング部の近傍であって前記折曲部側に形成されたことを特徴とする。なお、上記切り欠き部１４、切り抜き部１７の双方又は一方は、フラップ部の端部のいずれか一方側のみに設けるように構成することができ、また上記切り欠き部１４はピーリング部１３の両側に設けるように構成することができる。
【手続補正８】
【補正対象書類名】明細書
【補正対象項目名】００１７
【補正方法】変更
【補正の内容】
【００１７】
請求項７に記載の発明は、図５に示すように、請求項１〜６のいずれかに記載の配送用封筒型袋体における前記並行ミシン目が、一方側のミシン目の穴開き線Ｌ１が他方側のミシン目の隣接する両穴開き線Ｌ２、Ｌ３の中間に位置するように互い違いに構成されたことを特徴とする。
【手続補正９】
【補正対象書類名】明細書
【補正対象項目名】００２２
【補正方法】変更
【補正の内容】
【００２２】
以下、添付図を参照しつつ本発明に係る配送用封筒型袋体の実施の形態について詳細に説明する。本発明に係る配送用封筒型袋体（以下、単に「袋体」ともいう。）は、図１〜図５に示すように、プラスチックシート、パルプ系シート、金属シートまたはそれらの複合シートのいずれかにより製造された袋体であって、収納部（袋部）２とフラップ部１とにより構成される。収納部２は、配送物を収納する袋部であり、１枚または複数枚のシートを重ね合わせたブランクシートから切り出されたシートの両横辺部ＷＬ１、ＷＬ２同士が融着され、袋部の底辺となる部分はシートＳ１とＳ２とが折曲部Ｂ２に沿って折り曲げられ、両シートが重なり合う先端部が開放されて開放部２１が形成される。なお、図１〜図５においては袋体の縦横の一部を省略して波線で表している。
【手続補正１０】
【補正対象書類名】明細書
【補正対象項目名】００２３
【補正方法】変更
【補正の内容】
【００２３】
フラップ部１はシートＳ１と連続しており、フラップ部１は、収納部の一部に接着固定するための封止部１１、並行ミシン目１２ａ、１２ｂ、該ミシン目の中間に位置するピーリング部１３により構成されている（図８参照）。なお、封止部には封止用の粘着剤が塗布され、その上に剥離紙が被覆されている。なお、本発明に係る袋体の材料としては、プラスチックシート、パルプ系シート、金属シート等やそれら各種材料の複合シートなどが最適であり、これらのシートを１枚とする単層または２枚以上を重ねた複層にして袋体の材料とすることができる。配送物品の性状、重量等によっては透光性、機密性、保管性などを考慮する必要があるからである。また、袋体の材料はミシン目などによる引裂が可能なものであればすべて本発明において適用できる。
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
プラスチックシート、パルプ系シート又はプラスチック、パルプ、金属から選ばれた２以上を配合した複合シートのいずれかにより製造された袋体であって、開放部を形成し配送物を収納する収納部と、そして前記収納部を封止する封止部と、並行ミシン目と、該ミシン目の中間に位置するピーリング部と、により形成されたフラップ部と、を備え、収納部と連続形成されるフラップ部が折曲部に沿って折り返されて封止部により収納部に接着固定されるように構成された配送用の封筒型袋体において、
前記並行ミシン目及びピーリング部は前記フラップ部の両端に亘って形成され、
該フラップ部の両端部において該ピーリング部に接して又は近接してフラップ端部に形成される切り欠き部と、そして該フラップ部の両端部においてピーリング部の近傍であって前記折曲部側にフラップ端部から距離をもって形成される切り抜き部と、を設けたことを特徴とする配送用封筒型袋体。
【請求項２】
前記切り欠き部が、フラップ部の両端側の一辺が開放され、他の一辺がピーリング部に接して形成される略四角形状であることを特徴とする請求項１に記載の配送用封筒型袋体。
【請求項３】
請求項２に記載の切り欠き部におけるフラップ部の両端側の２つの角部並びに折曲部側の角部が、曲線状に形成されていることを特徴とする配送用封筒型袋体。
【請求項４】
前記切り欠き部が、フラップ部の両端側の一辺が開放されて形成された細長長方形状と対向辺側に形成された円形状を連結させた形状であり、ピーリング部に近接してピーリング部の両側に形成された、ことを特徴とする請求項１に記載の配送用封筒型袋体。
【請求項５】
前記切り欠き部が、フラップ部の両端側の一辺が開放された半円形状であり、ピーリング部に近接してピーリング部の両側に形成された、ことを特徴とする請求項１に記載の配送用封筒型袋体。
【請求項６】
前記切り抜き部が、両端部を小円形状にした略細長長方形状または両端を半円形状にした略長方形状であり、前記ピーリング部の近傍であって前記折曲部側に形成された、ことを特徴とする請求項１に記載の配送用封筒型袋体。
【請求項７】
前記併行ミシン目が、一方側のミシン目の穴開き線が他方側のミシン目の隣接する両穴開き線の中間に位置するように互い違いに構成された、ことを特徴とする請求項１〜６のいずれかに記載の配送用封筒型袋体。
【手続補正２】
【補正対象書類名】明細書
【補正対象項目名】００１１
【補正方法】変更
【補正の内容】
【００１１】
請求項１に記載の発明は、プラスチックシート、パルプ系シート又はプラスチック、パルプ、金属から選ばれた２以上を配合した複合シートのいずれかにより製造された袋体であって、開放部２１を形成し配送物を収納する収納部２と、そして前記収納部を封止する封止部１１と、並行ミシン目１２ａ、１２ｂと、該ミシン目の中間に位置するピーリング部１３と、により形成されたフラップ部１と、を備え、収納部と連続形成されるフラップ部が折曲部Ｂ１に沿って折り返されて封止部により収納部に接着固定されるように構成された配送用の封筒型袋体において、前記並行ミシン目及びピーリング部は前記フラップ部の両端Ｅ１、Ｅ２に亘って形成され、該フラップ部の両端部において該ピーリング部に接して又は近接してフラップ端部に形成される切り欠き部１４、１５、１６と、そして該フラップ部の両端部においてピーリング部の近傍であって前記折曲部側にフラップ端部から距離をもって形成される切り抜き部１７、１８と、を設けた配送用封筒型袋体であることを特徴とする。
【国際調査報告】
2013175621.tif 000011
2013175621.tif 000012